(57)【要約】      （修正有）【課題】空間に放出された放射性物質の付着した有機物を、キレート剤やガラス固化などの高度高価な方法を用いることなく、放射線量の減線を行う装置を提供する。【解決手段】放射性物質で汚染された稲わら、牧草もみ殻等草木を、放射性物質で汚染された牧草もみ殻等草木を、ベルトコンベア２によって、炭化装置の投入ホッパ３に投入し、投入スクリューコンベア４を通過して炭化装置の回転式低酸素加熱炉式のキルン５で低酸素の状態にして投入物の加熱を行う。充填率を７０％程度として用いる。キルン内部の温度は３００℃〜６００℃の範囲で加熱する。キルン５を通過した炭化状態となった排出物は、排出スクリューコンベア６および７排出スクリューコンベア２を通過した後、排出される。【選択図】図１
2015151547.tif 000002
【特許請求の範囲】
【請求項１】
少なくとも炭化する物質を投入する投入口と、投入した物質を炭化するための低酸素で高温加熱にするキルンと、該キルンから排出される炭化物の排出口と、炭化する物質を搬送する機構を有する炭化装置において、該キルンの投入口が排出口より鉛直方向の高さが低い事を特徴とする。
【請求項２】
請求項１において、補助燃焼バーナーを具備する事を特徴とする炭化装置
【請求項３】
請求項１において、燃焼ボイラー及び炭化キルンへの有機材料を搬送する手段がベルトコンベアであることを特徴とする炭化装置。
【請求項４】
請求項２において、キルンで発生したガスを、バイオマス燃焼装置に還流して、燃焼温度を高温に保つことを特徴とする炭化装置
【請求項５】
請求項１において、炭化装置のキルンを高温加熱する方法がバイオマス燃焼装置を具備していることを特徴とする炭化装置
【請求項６】
少なくとも炭化する物質を投入する投入口と、投入した物質を炭化するための低酸素で高温加熱にするキルンと、該キルンから排出される炭化物の排出口と、炭化する物質を搬送する機構を有する炭化装置において、該キルン内に可動板を設ける事を特徴とする。
【発明の詳細な説明】
【技術分野】
【０００１】大気中に放出された放射性物質に汚染された牧草・もみ殻・草木・葉等の、放射線封じ揉め処理方法。
【背景技術】
【０００２】  可燃性廃棄物の焼却灰は、種々の金属成分を多量に含み、または、焼却により放射性核種濃度が高くなっていることが示されている。
そこで、焼却灰を別途に用意した溶融状態のガラスに混入し、この焼却灰含有ガラスを、剛性が高く且つ耐腐食性に優れたステンレス鋼製のキャニスタに充填したうえ、自然風冷によりガラスを固化させて、当該焼却灰を化学的に安定したガラス固化体としてステンレス管に保管することが一般的な方法である。
【先行技術文献】
【特許文献】
【０００３】
【特許文献１】特許４６５５４４３では、非導電性容器へ投入し、鉄共沈スラッジ及び金属系廃棄物が溶融状態になるまで高周波誘導加熱したうえ、その溶融物を冷却して固化させ、溶融物の固化により形成されるインゴットを非導電性容器から取り出す金属回収工程と、ホウ酸塩系スラッジ、焼却灰、及び金属回収工程で非導電性容器からインゴットを取り出す際に発生したスラグを金属製のキャニスタへ投入し、ホウ酸塩系スラッジが溶融状態になるまでキャニスタを高周波誘導加熱したうえ、焼却灰及びスラグを含有する溶融物を冷却してキャニスタに一体化させるガラス固化体形成工程とを順に行なうことにより、放射線量の低減を図っている。特許４４９５３６３では、固化体に膨張剤を注入して該固化体を破砕し、破砕した前記固化体を容器に収納して容器に固化剤を充填する放射性廃棄物処理方法が提示されている。特許３０５８７０５放射性物質取り扱い施設より発生する液状又はスラッジ状の放射性廃棄物からＣ−１４を分離するプロセスと、分離したＣ−１４を収集するプロセスと、Ｃ−１４を分離した前記放射性廃棄物を容器内で固化するプロセスとを有し、前記Ｃ−１４を分離するプロセスは、ｐＨを酸性側に調整した前記放射性廃棄物からＣ−１４を分離するプロセスであり、かつ炭酸ガスの分圧が空気より低い気体を前記放射性廃棄物に注入するステップを含む放射性廃棄物の処理方法が示されてる。
【非特許文献】
【０００４】
【非特許文献１】一方、キレート剤を用いた封じ込め方法について、科学工学論文誌ｖｏｌ．３９、Ｎｏ．４，ｐｐ．２９４−３００、２０１３や第２４回廃棄物資源循環学会発表会論文集２０１３ｐｐ。５６５−５６６に、分子認識吸着剤充填カラムへの保管方法が示されている。
【発明の概要】
【発明が解決しようとする課題】
【０００５】先行技術では、高度で複雑な処理工程を必要とし、放射性物質封じ込めに多大のコストと高額な封じ込め装置や、人的時間を要していた。本発明では、これらの課題を解決するために、簡易且つ短時間に大量の処理可能な放射性物質封じ込めおよび減線の方法を提示する。
【課題を解決するための手段】
【０００６】バーナーまたは燃焼ボイラーによって炭化キルンを用いて為す有機物を炭化する方法であって、放射能汚染された稲わら、草木、建築廃材等の物質を、前記方法によって炭化することで放射性物質の炭化物中への封じ込めを行う。
【発明の効果】
【０００７】参考資料１に、放射能汚染物質の減線計算書を示す。
参考資料２に、炭化した放射能汚染物質の検査結果を提示する。参考資料１および２の結果より、セシウム１３４および１３７の合計値が約３０００Ｂｑ／ｋｇの牧草が炭化することによって、ヨウ素（Ｉ−１３１）は不検出、セシウム（Ｃｓ−１３４）は１８Ｂｑ／Ｌ、セシウム（Ｃｓ−１３７）は４６Ｂｑ／Ｌの測定結果となり、セシウム（Ｃｓ−１３４、Ｃｓ−１３７）の合計は６４ｂｑ／Ｌの結果を得て。埋め込み処理の基準を十分満たす事が示された。
【図面の簡単な説明】
【０００８】
【図１】１は、炭化装置全体図である。２は原料投入コンベア、３は投入ホッパー、４は原料投入スクリューコンベアを示す。５は原料の炭化キルンであり、６及び７は原料を炭化した炭化物排出スクリューコンベアである。８は、バイオマスボイラーの二次燃焼炉で、９はキルン５の加熱不足の際の補助加熱バーナー、１０は二次燃焼炉用のバーナーである。１１は、キルン温度を持続的に保つためのバイオマスボイラー燃焼炉である。１１は装置全体の制御盤である。キルンは、原材料投入口に対して出力口が水平線に対して上部になるよう設置してあり、原材料のキルン通過速度は、ｍ／ｓ〜ｍ／ｓ。温度は３００℃から６００℃の範囲で設定する。
【発明を実施するための形態】
【０００９】放射能有機廃棄物投入口と該放射能有機搬送機と、該放射能有機廃棄物を炭化するためのキルンと、キルンを高温に加熱する為のボイラー若しくはバーナーを有し、該放射能有機廃棄物を搬送して、炭化した後に排出する排出口を有する。
【実施例】
【００１０】図１は、炭化装置全体図である。放射性物質で汚染された牧草もみ殻等草木を、図１のベルトコンベア２によって、炭化装置の投入ホッパ３に投入し、投入スクリューコンベア４を通過して炭化装置のキルン５で低酸素の状態にして投入物の加熱を行う。【００１１】キルン５は、回転式炭化炉で、スクリューの回転で内容物を運搬する。充填率が７０％程度として用いる。化温度は３００℃〜６００℃の範囲で加熱する。加熱方法は図１のバーナー９によって加熱する外熱式でり、床は移動式を用いる。移動式を用いる理由は、加熱効率が良く、炭化時間が短い特長を生かすためである。無酸素状態というより、低炭素状態になる。【００１２】キルン５は、回転式炭化炉で、スクリューの回転で内容物を１ｍ／ｓ〜６ｍ／ｓの範囲で運搬する。充填率が７０％程度として用いる。化温度は３００℃〜６００℃の範囲で加熱する。加熱方法は図１のバーナー９によって加熱する外熱式でり、床は移動式を用いる。移動式を用いる理由は、加熱効率が良く、炭化時間が短い特長を生かすためである。無酸素状態というより、低炭素状態になる。【００１３】ロータリ炉は低酸素状態とするために、横型で設置面積を広くしている。キルン５を通過した炭化状態となった排出物は、排出スクリューコンベア１図中６および７排出スクリューコンベア２を通過した後、排出される。投入物質がバイオマスであることから、含水分量が高くキルンの温度が定価する場合には、キルンバーナー９によって温度調整を行う。バイオマスボイラー１１は、キルンの温度上昇と安定化を行い、且つ炭化燃料コスト削減に寄与する。
【産業上の利用可能性】
【００１４】本発明は、大気中に飛散して牧草やもみ殻に付着した放射性物質を、炭化法という簡易な方法によって生物に影響の無いレベルまで放射性物質を封じ込めることで、農畜産業を主とする産業に利用する事が可能である。生産方法は、所謂気相炭化法を用いて生成する。
【符号の説明】
【００１５】１    還元減菌炭化加工機本体
２    投入ベルトコンベア
３    投入ホッパー
４    投入スクリューコンベア
５    キルン
６    排出スクリューコンベア１
７    排出スクリューコンベア２
８    二次燃焼炉
９    キルンバーナー
１０  二次燃焼炉バーナー
１１  バイオマス燃焼炉
１２  操作盤
【図１】
2015151547.tif 000003